(57)【要約】【課題】  紙葉類判別装置によって偽券と判別されたリジェクト券にはマーク書込装置によってマークを書き込み、媒体不良券等のリジェクト券にはマークを書き込まないでリジェクト集積部に集積し、このマークを視認できるようにしたマーク書込装置及び紙葉類処理装置を提供する。【解決手段】  紙葉類検知センサ７０１によって偽券Ｐｒの先端が検知されると、マーカー７０２から保護部材７０４ｂを取り外す。そして、マーク書き込み位置を設定してマーカー７０２のペン先を偽券に接し、マークの書き込みを開始する。その後、マークが書き込み長さに達するとマークの書き込みを終了する。次に、マーカー７０２に保護部材７０４ｂを装着する。リジェクト集積部５４に集積された偽券Ｐｃは、紫外線ランプ８１で励起され可視光を発光する。【選択図】  図１
2007011626.tif 000002
【特許請求の範囲】
【請求項１】
搬送される紙葉類の真偽判別を行う紙葉類判別手段の判別結果に基づいて当該紙葉類を処理券、又は偽券に区分して集積する紙葉類処理装置であって、
前記紙葉類判別手段による判別結果が偽券と判別された紙葉類にマークを書き込むマーク書込手段と、
このマーク書込手段によってマークが書き込まれた紙葉類を集積する集積手段と、
この集積手段に集積された偽券を可視発光させる偽券検知手段と、
を備えたことを特徴とする紙葉類処理装置。
【請求項２】
前記マーク書込手段は、
前記マークを書き込むマーカーと、
このマーカーの搬送方向上流に配置され、前記紙葉類を検知する紙葉類検知センサと、
この紙葉類検知センサが前記紙葉類を検知してから前記マークを書き込む書き込み位置、及びこの書き込み位置からの書き込み長さを設定する設定手段と、
この設定手段による設定値に基づいて前記マーカーを駆動する駆動手段と、
を備えたことを特徴とする請求項１記載の紙葉類処理装置。
【請求項３】
前記書き込み手段はさらに、
前記マーカーのペン先に装着する保護部材を着脱する着脱手段を備えたことを特徴とする請求項１又は請求項２記載の紙葉類処理装置。
【請求項４】
前記偽券検知手段は、
前記偽券に含まれる蛍光漂白剤を励起発光させる発光波長を有する励起光を発光する照射手段を備え、
この照射手段によって前記偽券が可視発光することを特徴とする請求項１記載の紙葉類処理装置。
【請求項５】
前記偽券検知手段はさらに、
前記マークに蛍光漂白剤が含まれているとき、前記励起光によって当該偽券に書き込まれたマークが可視発光することを特徴とする請求項１又は請求項４記載の紙葉類処理装置。
【請求項６】
前記駆動手段は、
前記マーカーのペン先を前記紙葉類に接する位置に移動して、前記設定手段で設定したマークの書き込み位置から所定の書き込み長さに達するまで、その位置を保持することを特徴とする請求項１記載の紙葉類処理装置。
【請求項７】
紙葉類を搬送する搬送手段と、
この搬送手段によって搬送される前記紙葉類にマークを書き込むマーカーと、
前記マーカーの搬送方向上流に配置され、前記紙葉類を検知する紙葉類検知センサと、
この紙葉類検知センサが前記紙葉類を検知してから前記マークを書き込む書き込み位置、及びこの書き込み位置からの書き込み長さを設定する設定手段と、
この設定手段による設定値に基づいて前記マーカーを駆動する駆動手段と、
を備えたことを特徴とするマーク書込装置。
【請求項８】
前記マーカーのペン先に装着する保護部材を着脱する着脱手段を備えたことを特徴とする請求項６記載のマーク書込装置。
【請求項９】
前記駆動手段は、
前記マーカーのペン先を前記紙葉類に接する位置に移動して、前記設定手段で設定したマークの書き込み位置からの所定の時間、その位置を保持することを特徴とする請求項６記載のマーク書込装置。
【発明の詳細な説明】
【技術分野】
【０００１】
本発明は、紙幣などの紙葉類を判別して区分処理する紙葉類処理装置に関し、特に、偽券（偽物の紙葉類）と判別された紙葉類に特殊マーカーでマークを書き込み、このマークを目視確認することによりリジェクト券と偽券を区分できるようにしたマーク書込装置及び紙葉類処理装置に関する。
【背景技術】
【０００２】
従来、紙葉類を処理する紙葉類処理装置は、集積した状態で投入された紙葉類を紙葉類取出装置によって一定間隔毎に１枚ずつ取り出して搬送路に繰り出し、後段の処理部へ搬送する。このようにして搬送された紙葉類は、搬送路上に設けられた紙葉類判別装置を通過したときに、搬送先に関する情報が検出され、この検出結果に基づいて搬送路上に設けられた複数の振り分けゲートが切り換えられて、所定の搬送先へ搬送されて集積、施封などの処理が行われる。
【０００３】
上記紙葉類判別装置により偽券と判別された紙葉類は、リジェクト券としてリジェクト集積部に集積される。また、偽券ではないが、例えば、折れ、破れなどの媒体不良券や、搬送位置ずれ、搬送スキュー、２枚取、搬送ピッチ詰まりなどの搬送異常券も、紙葉類判別装置によって判別できない処理不能券となるため、偽券と同様にリジェクト券としてリジェクト集積部に集積されていた。その結果、リジェクト集積部には偽券と処理不能券が混在して集積されることになる（例えば、特許文献１参照。）。
【０００４】
ここで、偽券は再処理の必要はないが、処理不能券としてリジェクトされた紙葉類は、紙葉類処理装置によって媒体異常や搬送異常を起こしている場合もあるため、再処理が必要になる。この際、偽券と処理不能券の区別がつかないため、リジェクト券をまとめて再処理していた。この再処理によって、最初に搬送異常券と判別されたが再処理時には正常に搬送された真券（本物の紙葉類）は、真券として所定の搬送先に搬送して処理されるが、偽券及び媒体不良券はリジェクト券となる。操作員は、このリジェクト券を１枚ずつ、目視によって、又は紙葉類処理装置の操作部に表示される紙葉類判別装置の判別結果の確認によって偽券と媒体不良券に区分していた。
【特許文献１】特許第２８０１７０７号公報  （第１−４頁、図２）
【発明の開示】
【発明が解決しようとする課題】
【０００５】
しかしながら、特許文献１記載の従来の紙葉類処理装置では、紙葉類処理装置の操作員が、リジェクト集積部に集積されたリジェクト券を取り出す際、どれが偽券かわからないという問題があった。
【０００６】
本発明は、上記問題を解決するためになされたもので、上記紙葉類判別装置によって偽券と判別されたリジェクト券にはマーク書込装置によってマークを書き込み、媒体不良券等のリジェクト券にはマークを書き込まないようにしたマーク書込装置及び紙葉類処理装置を提供することを目的とする。
【課題を解決するための手段】
【０００７】
上記目的を達成するために、本発明の請求項１記載の紙葉類処理装置は、搬送される紙葉類の真偽判別を行う紙葉類判別手段の判別結果に基づいて当該紙葉類を処理券、又は偽券に区分して集積する紙葉類処理装置であって、前記紙葉類判別手段による判別結果が偽券と判別された紙葉類にマークを書き込むマーク書込手段と、このマーク書込手段によってマークが書き込まれた紙葉類を集積する集積手段と、この集積手段に設けられ、前記マークを励起発光する偽券検知手段と、を備えたことを特徴とする。
【０００８】
さらに、本発明の請求項７記載のマーク書込装置は、紙葉類を搬送する搬送手段と、この搬送手段によって搬送される前記紙葉類にマークを書き込むマーカーと、前記マーカーの搬送方向上流に配置され、前記紙葉類を検知する紙葉類検知センサと、この紙葉類検知センサが前記紙葉類を検知してから前記マークを書き込む書き込み位置、及びこの書き込み位置からの書き込み長さを設定する設定手段と、この設定手段による設定値に基づいて前記マーカーを駆動する駆動手段と、を備えたことを特徴とする。
【発明の効果】
【０００９】
本発明によれば、紙葉類判別装置によって偽券と判別されたリジェクト券にはマーク書込装置によってマークを書き込み、媒体不良券等のリジェクト券にはマークを書き込まないでリジェクト集積部に集積するため、このマークを視認することによって、リジェクト券の中の偽券を区分することができる。
【発明を実施するための最良の形態】
【００１０】
以下、図面を参照して本発明の実施例を説明する。
【実施例】
【００１１】
図１は、本発明の実施例によるマーク書込装置及びマーク検知装置を搭載した紙葉類処理装置１００の構成を示す構成概略図である。この紙葉類処理装置１００は、紙葉類処理部１と主制御部５００とで構成される。この紙葉類処理部１と主制御部５００は、インターフェース５０１を介して接続されている。
【００１２】
紙葉類処理部１は、複数種類の、サイズの異なる複数枚の紙葉類Ｐを混在させて一括して投入したものに対し、主制御部５００の操作表示部（表示手段）５０２からの指定に基づき、紙葉類判別部（紙葉類判別手段）５２で判別し、その判別結果に基づいて紙葉類Ｐの搬送状態を揃えて紙葉類Ｐの種類毎に集積するものである。
【００１３】
すなわち、主制御部５００の操作表示部５０２から施封部４で施封する紙葉類の種類、及び紙葉類集積部５７〜６２のカセット５７ｄ〜６２ｄに集積する紙葉類の種類（以下、紙葉類の種類を券種と称する。）、及び搬送状態を指定することができる。本実施例では上記施封部４を設けない紙葉類処理装置１００に関して説明する。
【００１４】
ここで、紙葉類Ｐが搬送されるときの搬送状態について説明する。紙葉類Ｐは、表（Ｆａｃｅ：表を上にした状態）、裏（Ｂａｃｋ：裏を上にした状態）、正（Ｆｏｗａｒｄ：紙葉類の表もしくは裏の印刷が正立した状態）、逆（Ｒｅｖｅｒｓｅ：紙葉類の表もしくは裏の印刷が倒立した状態）の４種類あり、これらを組み合わせた表正ＦＦ、表逆ＦＲ、裏正ＢＦ、裏逆ＢＲからなる４種類の搬送状態が形成される。
【００１５】
以下、紙葉類処理部１の構成を詳細に説明する。紙葉類処理部１は、紙葉類Ｐを供給する供給部５０ａと、この供給部５０ａから供給された紙葉類Ｐを１枚ずつ取り出す取出ローラ５０ｂと、この取出ローラ５０ｂによって取り出された紙葉類Ｐを搬送する搬送路（主搬送手段）５３が設けられている。この搬送路５３には、この搬送路５３によって搬送される紙葉類Ｐの姿勢や搬送位置を整列する整列部５１が設けられている。また必要に応じてこの整列部５１に搬送ピッチを補正する搬送ピッチ補正部（図示しない）なども設けられる。
【００１６】
さらに、上記整列部５１によって整列された紙葉類Ｐを１枚ずつ判別する紙葉類判別部（紙葉類判別手段）５２が配置されている。この紙葉類判別部５２は、搬送される紙葉類Ｐを「処理券」とリジェクト券に区分する。
【００１７】
「処理券」とは、紙葉類Ｐの紙葉類判別部５２による判別結果が真券で正券（Ｆｉｔ：再流通可能券）、又は真券で損券（ＵｎＦｉｔ：流通不能券）を指し、紙葉類処理装置１によって処理され、上記紙葉類集積部５７〜６２のカセット５７ｄ〜６２ｄに集積される券である。搬送制御部２６は、紙葉類判別部５２から正券又は損券の判別信号を受信すると、分岐ゲートＧ１を左側（反時計方向）に回動して、紙葉類Ｐを反転処理部３に搬送する。
【００１８】
リジェクト券とは、紙葉類Ｐの紙葉類判別部５２による判別結果に基づく、偽券、媒体不良券、及び搬送不良券を指す。偽券とは、紙葉類Ｐが紙葉類判別部５２によって偽物と判別された紙葉類で、搬送路５３に配置されたマーク書込装置７０によってマークが書き込まれる。媒体不良券とは、紙葉類Ｐが折れ、破れ、などのために判別不能となった紙葉類である。搬送異常券とは、紙葉類Ｐが搬送途中に取出ローラ５０ｂ又は搬送路４３によって搬送位置ずれ、搬送スキュー、２枚取、又は搬送ピッチ詰まりなどの搬送状態が異常となり判別不能となった紙葉類である。搬送制御部２６は、これらリジェクト券の判別信号を受信すると、分岐ゲートＧ１を右側（時計方向）に回動して、紙葉類Ｐをリジェクト集積部５４に集積する。以上のように、リジェクト集積部５４には、偽券の他にいろいろな紙葉類Ｐが混在して集積されることになる。
【００１９】
リジェクト集積部５４にはマーク書込装置７０によってマークが書き込まれた偽券を目視判別可能な偽券検知装置８０が設けられている（詳細は、後述する。）。
【００２０】
反転処理部３は、紙葉類判別部５２の判別結果に基づき紙葉類Ｐの搬送状態を揃えるものでスイッチバック反転部５５及び表裏反転部５６で構成され、取り揃える方向により上記スイッチバック反転部５５及び表裏反転部５６の一方、若しくは両方が使用される。
【００２１】
このようにして揃えられた紙葉類Ｐは、搬送路（搬送手段）５３によって搬送され、紙葉類Ｐの種類毎に割り付けられた紙葉類集積部５７〜６２の何れかに集積される。これら紙葉類集積部５７〜６２は同様に構成されており、例えば紙葉類集積部５７は、羽根車５７ａ、一時集積庫５７ｂ、及びカセット５７ｄを備えている。
【００２２】
羽根車５７ａは、複数の羽根が回転軸の周辺に組み込まれており、搬送されてきた紙葉類Ｐを羽根と羽根の間で受け取れるように紙葉類Ｐの搬送に同期して回転している。この羽根車を使用することによって、高速に搬送される紙葉類Ｐの運動エネルギーを吸収しながら、かつ整位された状態で一時集積庫５７ｂに集積される。
【００２３】
一時集積庫５７ｂには、シャッター５７ｃが備えられており、このシャッター５７ｃの上に紙葉類Ｐが集積される。このシャッター５７ｃに集積された紙葉類Ｐが、例えば満杯になったとき、又は業務終了指示などがあると、シャッター５７ｃが開きシャッター５７ｃ下部に設けられたカセット５７ｄに落下して集積される。
【００２４】
紙葉類集積装置５８〜６２は、紙葉類集積部５７と同様に構成されているため、その説明を省略する。
【００２５】
図２は、本発明の実施例によるマーク書込手段としてのマーク書込装置７０の構成図である。マーク書込装置７０は、偽券と判定された紙葉類Ｐが、搬送路５３によって図示矢印Ａ方向に搬送されるとき、その紙葉類Ｐの搬送中にマーカー７０３によりマークを書き込む装置である。マーク書込装置７０には、搬送される紙葉類Ｐの到着を検知する紙葉類検知センサ７０１、マーカー７０２、このマーカー７０２を回動するロータリーソレノイド（駆動手段）７０３、マーカー７０２のペン先を覆う保護部材７０４ｂ、及びこの保護部材７０４ｂを着脱するソレノイド７０４が備えられている。
【００２６】
マーカー７０２は、例えば、無色透明な蛍光ペンからなり、ロータリーソレノイド７０３の回動部分に着脱可能に取り付けられている。そして、初期状態（ロータリーソレノイド７０３がオフ（非通電の状態）では、マーカー７０２のペン先が搬送路５３の搬送方向下流側に向くように取り付けられる。従って、この無色透明な蛍光ペンで書かれたマークは目視確認することができない。
【００２７】
ここで、無色透明な蛍光ペンを使用する理由を説明する。紙葉類処理装置１００で処理される紙葉類Ｐは流通過程で不特定多数の利用者によって携帯されるため、有色ペンで文字や記号が記入される場合がある。すなわち、紙葉類Ｐを計数した計数値や、記憶のためのメモ用紙として用いられる場合などである。このような、利用者によって記入される場合は利用者による目視確認を目的としているため、一般的には有色ペンが使用される。しかしながら、この有色ペンには、有色蛍光ペンも含まれ、容易に入手可能なことから、この有色蛍光ペンと紙葉類処理装置１００によるマーク記入を区別するためは無色透明な蛍光ペンが用いられる。
【００２８】
実施例では、上述した理由により無色蛍光ペンを用いたが、これに限定されるものではなく、不特定多数の利用者が使用すると思われるペンに使用されるインクと明らかに異なる特性を持つインクであればその目的を達成できるため、例えば、一般的に知られている偽札チェックペンなどのように、蛍光漂白剤と反応して着色するタイプのものを使用した場合であってもよいのは言うまでもない。いずれの場合も、操作員が偽券を容易に区分できることを満たしておれば有色蛍光ペンであっても本発明の範囲に含まれる。
【００２９】
ロータリーソレノイド（駆動手段）７０３は、オン（通電）することによってその可動部が右方向（時計回り）に回転し、通電を止めるとその回動部分が左方向（反時計回り）に回転する。
【００３０】
保護部材７０４ｂは、マーカー７０２のペン先を覆うキャップで構成され、マーカー７０２のペン先の乾燥を防止すると共に、ジャム等による不必要なマーキングを防止する。この保護部材７０４ｂは、ソレノイド７０４のオン（通電）／オフ（非通電）に伴って進退自在に可動できる可動軸に固定されている。
【００３１】
ソレノイド（着脱手段）７０４は、可動軸７０４ａを有し、オンすることによって可動軸７０４ａをソレノイド７０４内部に引き込み、オフすることによって可動軸７０４ａをソレノイド７０４外部に突出させることができる。このオン／オフによって７０４ａ保護部材７０４ｂの着脱を行うので、この着脱を行うタイミングでは、可動軸の中心とマーカー軸の中心が概略一致していることが望ましい。
【００３２】
図３は、本発明の実施例による偽券検知装置（偽券検知手段）８０を搭載したリジェクト集積部（集積手段）５４である。図３（Ａ）はリジェクト集積部５４の正面図で、図３（Ｂ）はリジェクト集積部５４の斜視図である。
【００３３】
リジェクト集積部５４は、図示矢印Ａ方向に高速に搬送されてくるリジェクト券Ｐｒの搬送速度を減速すると共に整列するためのガイド５４ａと、リジェクト券Ｐｒを集積する底板５４ｂと、リジェクト券Ｐｒを停止させる取り出しカバー５４ｃとを備えている。取り出しカバー５４ｃは、搬送されてきたリジェクト券Ｐｒの追突力によっては開かないが、操作員がリジェクト券Ｐｒを取り出すときに図示矢印Ｃ方向にこのカバー５４ｃを開くことができる。
【００３４】
偽券検知装置８０は、リジェクト集積部５４に集積されたリジェクト券Ｐｒの中の偽券を可視発光させて目視による区分を可能にする装置である。この偽券検知装置８０は、偽券に含まれる蛍光漂白剤を励起発光させる発光波長を有する励起光を発光する照射手段である紫外線ランプ８０１と、この紫外線ランプ８０１を点灯する点灯装置（図示しない）とを備えている。
【００３５】
紫外線ランプ８０１は、この紫外線ランプ８０１の照射範囲８０２がリジェクト券Ｐｒの券先端側を照射するように紫外線ランプ８０１の照射する中心位置をカバー５４ｃ側にずらして配置されている。このような配置にすることによって、リジェクト券Ｐｒを容易に区別できるようにしてある。また、リジェクト集積部５４の取り出しカバー５４ｃは、この紫外線ランプ８０１の光が外部に漏れるのを防ぐ働きもしている。
【００３６】
また、マーカーが上述した無色透明な蛍光ペンで構成され、このマーカーによって偽券に書き込まれたマークに蛍光漂白剤が含まれているとき、紫外線ランプ８０１によって励起され、当該偽券に書き込まれたマークが可視発光する。なお、上述したようにマーカーは、偽札チェックペンなどのように、蛍光漂白剤と反応して着色するタイプのものを使用した場合であってもよいのは言うまでもない。
【００３７】
以上説明した偽券検知装置８０は、偽券に蛍光漂白剤が含まれる場合にしか可視発光しないため、偽券に蛍光漂白剤が使用されていない場合は、偽券全体が可視発光することはなく、本実施例の蛍光マーカーを使用した場合は、マークのみが可視発光することになる。
【００３８】
リジェクト集積部５４から操作員がリジェクト券Ｐｒを取り出す場合は、取り出しカバー５４ｃの切欠き部５４ｄに指を入れて外側にカバーを開け、中のリジェクト券Ｐｒのマークを確認しながら１枚ずつ取り出すことになる。この際、マークが視認された場合は偽券として区分することができる。
【００３９】
図４は、マーク書込装置７０によるマーク書き込み処理の動作を示すフローチャートである。図５〜図９は図４のフローチャートに基づいてマーカー７０２が動作するときの状態を示す図である。これらの状態図も参照しながらマーク書込装置７０の動作を説明する。
【００４０】
最初に、搬送制御部から受信した紙葉類の判別結果を確認する（Ｓ１）。この確認の結果偽券判定でなかった場合は、次の判別結果がくるまで待機する（Ｓ１のＮＯ）。
【００４１】
紙葉類の判別結果が偽券の場合（Ｓ１のＹＥＳ）、紙葉類検知センサ７０１に紙葉類Ｐの先端が到達し、紙葉類検知センサ７０１の出力信号が暗になるまで待機する（Ｓ２のＮＯ）。この待機している状態を図５に示す。なお、以下の説明では、偽券と判別された紙葉類を偽券Ｐｃと称する。
【００４２】
紙葉類検知センサ７０１によって偽券Ｐｃの先端が検知されると、ソレノイド７０４をオンすることによって、マーカー７０２から保護部材７０４ｂを取り外す。また、マーカー７０２によるマーク書き込み位置タイマーをオンする（Ｓ３、書き込み位置設定手段）。この保護部材７０４ｂを取り外した状態を図６に示す。
【００４３】
マーク書き込み位置タイマーがタイムアウトに達していなければタイムアウトになるまで待機し（Ｓ４のＮＯ）、タイムアウトになれば（Ｓ４のＹＥＳ）、ロータリーソレノイド７０３をオンする。このロータリーソレノイド７０３のオンによってマークの書き込みが開始される。また、マーク書き込み長さタイマーをオンする（Ｓ５、書き込み長さ設定手段）。このマークの書き込みが開始された状態を図７に示す。なお、このマーク書き込み長さタイマーは、書き込み長さに相当する距離を通過する時間と同じ意味であるため、実際には、通過時間をタイマー値として設定することになる。
【００４４】
マーク書き込み長さがタイムアウトに達していなければタイムタイムアウトになるまで待機し（Ｓ６のＮＯ）、タイムアウトになれば（Ｓ６のＹＥＳ）、ロータリーソレノイド７０３をオフする（Ｓ７）。このロータリーソレノイド７０３のオフによってマークの書き込みが終了する。このマークの書き込みが終了した状態を図８に示す。
【００４５】
ソレノイド７０４をオフし、マーカーに保護部材７０４ｂを装着する。この保護部材７０４ｂを装着した状態を図９に示す。
【００４６】
以上のマーク書込装置７０による処理の結果、図１０に示すマークＭが偽券Ｐｃに書込まれる。このマークＭは、搬送方向を示す図示矢印Ａに対して、券先端側に上述した書き込み位置及び書き込み長さで設定される所定の長さ書込まれる。これは、上述したように、紫外線ランプ８０１の照射範囲がリジェクト券Ｐｒの先端側を照射するように構成されており、これに合わせて、マークの書き込み位置を設定してある。以上の結果、リジェクト券Ｐｒの取り出し時の確認を容易に行うことができる。
【００４７】
以上の説明で明らかなように、本実施例によれば、リジェクト集積部に集積されたリジェクト券の中から、媒体不良券及び搬送不良券に混在して集積された偽券を目視によって区分して取り出すことができる。この結果、次の効果も得られる。
【００４８】
一般的に広く流通している紙に印刷して作成した偽券の場合、当該紙には紙を白くするための蛍光材が含有されている。この場合は、この蛍光材が上記紫外線ランプによって励起されるため、偽券全体が発光する。なお、この場合であっても、本実施例のマークＭがマーク書込装置によって書き込まれ、かつマーク検知装置によって発光するのは当然である。
【００４９】
なお、本実施例では、マーク検知装置をリジェクト集積部に搭載したが、このマーク検知装置を紙葉類処理装置とは切り離した単独装置として用いても、その効果は同様である。
【図面の簡単な説明】
【００５０】
【図１】本発明の実施例によるマーカー装置及びマーク検知装置を搭載した紙葉類処理装置。
【図２】紙葉類処理装置に搭載されるマーク書込装置の概略構成図。
【図３】マーク検知装置を搭載したリジェクト集積部。
【図４】マーク書込装置の動作を示すフローチャート。
【図５】マーク書込装置が偽券を待機している状態。
【図６】マーク書込装置のマーカーから保護部材を取外した状態。
【図７】マーク書込装置のマーカーで偽券にマークの書き込みを始めた状態。
【図８】マーク書込装置のマーカーによるマークの書き込みを終了した状態。
【図９】マーク書込装置のマーカーに保護部材を装着した状態。
【図１０】マーク書込装置によって偽券にマークが書き込まれた状態。
【符号の説明】
【００５１】
１  紙葉類処理部
３  反転処理部
５２  紙葉類判別部
５４  リジェクト集積部
５４ｄ  取り出しカバー
５７〜６２  紙葉類集積部
７０  マーク書込装置
７０１  紙葉類検知センサ
７０２  マーカー
７０３  ロータリーソレノイド
７０４  ソレノイド
７０４ａ  可動軸
７０４ｂ  保護部材
８０  マーク検知装置
８０１  紫外線ランプ
８０２  照射範囲
【図１】
2007011626.tif 000003
【図２】
2007011626.tif 000004
【図３】
2007011626.tif 000005
【図４】
2007011626.tif 000006
【図５】
2007011626.tif 000007
【図６】
2007011626.tif 000008
【図７】
2007011626.tif 000009
【図８】
2007011626.tif 000010
【図９】
2007011626.tif 000011
【図１０】
2007011626.tif 000012